(57)【特許請求の範囲】
【請求項１】
第１図柄変動ゲームに係る当り抽選の抽選結果に対応する表示図柄を表示する第１図柄表示手段と、第２図柄変動ゲームに係る前記当り抽選の抽選結果に対応する表示図柄を表示する第２図柄表示手段と、を備えた遊技機において、
前記表示図柄は、前記当り抽選に当選した場合の当りの種類にも対応しており、
前記第１図柄表示手段及び前記第２図柄表示手段は、複数同一個数の発光体によって形成されるとともに、各発光体には、各表示手段を形成する各発光体を区別する管理番号が定められ、前記発光体の点灯状態によって形成される表示図柄で前記当り抽選の抽選結果並びに前記当り抽選に当選している場合には当りの種類が報知される一方で、前記表示図柄は、表示対象となる表示手段の種類にかかわらず同一の制御情報として内部的に管理され、前記制御情報に対応付けて前記管理番号を定めることで点灯対象の発光体が定められており、
前記発光体の配置によって形成される各表示手段の形状を同一とする一方で、管理番号が定められた少なくとも１つの発光体の位置を異ならせることにより、前記第１図柄変動ゲーム及び前記第２図柄変動ゲームにおいて同一の制御情報が決定された場合に、各表示手段で表示される前記表示図柄を形成する発光体の発光個所を異ならせ、
前記制御情報には、前記当り抽選に当選している場合に決定することができるとともに位置を異ならせた発光体の全てを発光させる特殊制御情報を含み、前記第１図柄変動ゲーム及び前記第２図柄変動ゲームにおいて同一の前記特殊制御情報が決定された場合には同一の表示図柄が形成され、前記特殊制御情報によって前記第１図柄変動ゲームで形成される表示図柄と前記第２図柄変動ゲームで形成される表示図柄とは同じ当りの種類に対応していることを特徴とする遊技機。
【請求項２】
前記第１図柄表示手段及び前記第２図柄表示手段は、前記第１図柄変動ゲーム及び前記第２図柄変動ゲームにおいて異なる制御情報が決定された場合に、同一の表示図柄が形成されるときを含むように、前記発光体が配置されており、
前記当り抽選に当選している場合に前記異なる制御情報によって同一の表示図柄が形成されるときには、前記第１図柄変動ゲームで形成される表示図柄と前記第２図柄変動ゲームで形成される表示図柄とが異なる当りの種類に対応していることを特徴とする請求項１に記載の遊技機。
【請求項３】
前記第１図柄表示手段及び前記第２図柄表示手段は、前記当り抽選に当選しなかった場合に決定することができる制御情報によって表示図柄が形成されるとき、同一の表示図柄が形成されるように前記発光体が配置されていることを特徴とする請求項１又は請求項２に記載の遊技機。
【発明の詳細な説明】
【技術分野】
【０００１】
本発明は、複数種類の図柄変動ゲームを実行させる遊技機に関する。
【背景技術】
【０００２】
従来、遊技機の一種であるパチンコ遊技機では、複数の始動手段を設け、いずれか１つの始動手段で検知された始動保留球に基づく図柄変動ゲームを実行させている。そして、パチンコ遊技機では、当りか否かの当り抽選の抽選結果を表示する表示手段が始動手段毎に設定されている。具体的には、第１図柄変動ゲームに係る当り抽選の抽選結果に対応する表示図柄を表示する第１図柄表示手段が設定されている。さらに、第２図柄変動ゲームに係る当り抽選の抽選結果に対応する表示図柄を表示する第２図柄表示手段が設定されている（例えば、特許文献１）。
【先行技術文献】
【特許文献】
【０００３】
【特許文献１】特開２００７−１１１３３４号公報
【発明の概要】
【発明が解決しようとする課題】
【０００４】
特許文献１のパチンコ遊技機のように２つの始動手段が設けられている場合、当り抽選に当選したときに付与される特典の種類及び当りの種類の選択割合が始動手段毎に異なる場合がある。そして、このようなパチンコ遊技機では、当りの種類、すなわち当り後の遊技状態を積極的に遊技者に報知しない遊技性を備えている場合がある。このようなパチンコ遊技機において、図柄変動ゲームの遊技演出などから当りの種類を認識できないように工夫したとしても、各図柄表示手段で表示される図柄から当りの種類を認識できてしまった場合、当り後の遊技状態を分かり難くしているとは言い難い。特に、遊技者にとって不利な当りであることを認識させてしまうと、遊技者は落胆しがちであった。また、特許文献１のようなパチンコ遊技機において、各表示手段に表示される表示図柄が同一であると、片方の表示手段の表示図柄から他方の表示手段に表示された表示図柄に対応する当りの種類も容易に推測できてしまい、遊技状態を分かり難くしているとは言い難かった。
【０００５】
この発明は、このような従来技術に存在する問題点に着目してなされたものであり、その目的は、特典が異なる複数種類の当り遊技を付与することができる遊技機において、表示手段の表示態様から当りの種類を判別し難くすることで、興趣の向上を図ることができる遊技機を提供することにある。
【課題を解決するための手段】
【０００６】
上記問題点を解決するために、請求項１に記載の発明は、第１図柄変動ゲームに係る当り抽選の抽選結果に対応する表示図柄を表示する第１図柄表示手段と、第２図柄変動ゲームに係る前記当り抽選の抽選結果に対応する表示図柄を表示する第２図柄表示手段と、を備えた遊技機において、前記表示図柄は、前記当り抽選に当選した場合の当りの種類にも対応しており、前記第１図柄表示手段及び前記第２図柄表示手段は、複数同一個数の発光体によって形成されるとともに、各発光体には、各表示手段を形成する各発光体を区別する管理番号が定められ、前記発光体の点灯状態によって形成される表示図柄で前記当り抽選の抽選結果並びに前記当り抽選に当選している場合には当りの種類が報知される一方で、前記表示図柄は、表示対象となる表示手段の種類にかかわらず同一の制御情報として内部的に管理され、前記制御情報に対応付けて前記管理番号を定めることで点灯対象の発光体が定められており、前記発光体の配置によって形成される各表示手段の形状を同一とする一方で、管理番号が定められた少なくとも１つの発光体の位置を異ならせることにより、前記第１図柄変動ゲーム及び前記第２図柄変動ゲームにおいて同一の制御情報が決定された場合に、各表示手段で表示される前記表示図柄を形成する発光体の発光個所を異ならせ、前記制御情報には、前記当り抽選に当選している場合に決定することができるとともに位置を異ならせた発光体の全てを発光させる特殊制御情報を含み、前記第１図柄変動ゲーム及び前記第２図柄変動ゲームにおいて同一の前記特殊制御情報が決定された場合には同一の表示図柄が形成され、前記特殊制御情報によって前記第１図柄変動ゲームで形成される表示図柄と前記第２図柄変動ゲームで形成される表示図柄とは同じ当りの種類に対応していることを要旨とする。
【０００７】
請求項２に記載の発明は、請求項１に記載の遊技機において、前記第１図柄表示手段及び前記第２図柄表示手段は、前記第１図柄変動ゲーム及び前記第２図柄変動ゲームにおいて異なる制御情報が決定された場合に、同一の表示図柄が形成されるときを含むように、前記発光体が配置されており、前記当り抽選に当選している場合に前記異なる制御情報によって同一の表示図柄が形成されるときには、前記第１図柄変動ゲームで形成される表示図柄と前記第２図柄変動ゲームで形成される表示図柄とが異なる当りの種類に対応していることを要旨とする。
【０００８】
請求項３に記載の発明は、請求項１又は請求項２に記載の遊技機において、前記第１図柄表示手段及び前記第２図柄表示手段は、前記当り抽選に当選しなかった場合に決定することができる制御情報によって表示図柄が形成されるとき、同一の表示図柄が形成されるように前記発光体が配置されていることを要旨とする。
【発明の効果】
【００１０】
本発明によれば、特典が異なる複数種類の当り遊技を付与することができる遊技機において、表示手段の表示態様から当りの種類を判別し難くすることで、興趣の向上を図ることができる。
【図面の簡単な説明】
【００１１】
【図１】パチンコ遊技機の遊技盤を示す正面図。
【図２】パチンコ遊技機の電気的構成を示すブロック図。
【図３】大当りの種類を説明する説明図。
【図４】（ａ）〜（ｄ）は、特別図柄１を示す模式図。
【図５】（ａ）〜（ｄ）は、特別図柄２を示す模式図。
【図６】（ａ），（ｂ）は、変更例としての特別図柄表示装置を示す模式図。
【図７】（ａ），（ｂ）は、変更例としての特別図柄表示装置を示す模式図。
【図８】（ａ），（ｂ）は、変更例としての特別図柄表示装置を示す模式図。
【発明を実施するための形態】
【００１２】
以下、本発明を具体化したパチンコ遊技機について図１〜図５に従って説明する。
図１に示すように、遊技領域が形成されたパチンコ遊技機の遊技盤１０のほぼ中央には、液晶ディスプレイ型の画像表示部ＧＨを有する演出表示装置１１が配設されている。演出表示装置１１には、複数列（本実施形態では３列）の図柄列を変動させて行う図柄変動ゲームを含み、該ゲームに関連して実行される各種の表示演出が画像表示される。本実施形態において演出表示装置１１の図柄変動ゲームでは、複数列（本実施形態では３列）の図柄からなる図柄組み合わせを導出する。なお、演出表示装置１１の図柄変動ゲームは、表示演出を多様化するための飾り図柄（演出図柄）を用いて行われる。
【００１３】
また、演出表示装置１１の左下方には、左サイド飾り部材ＬＫが装着される一方で、演出表示装置１１の右下方には、右サイド飾り部材ＲＫが装着されており、これらの飾り部材ＬＫ，ＲＫは、左右対称に配置されている。なお、本実施形態において左サイド飾り部材ＬＫと右サイド飾り部材ＲＫは、後述する各種表示装置（第１特別図柄表示装置１２や、第２特別図柄表示装置１３など）を取り付けるための取り付け部材として機能する。
【００１４】
そして、左サイド飾り部材ＬＫには、第１図柄表示手段としての第１特別図柄表示装置１２が設けられている。また、右サイド飾り部材ＲＫには、第２図柄表示手段としての第２特別図柄表示装置１３が設けられている。本実施形態において第１，第２特別図柄表示装置１２，１３は、演出表示装置１１の下方において左右対称に配置された左サイド飾り部材ＬＫと右サイド飾り部材ＲＫのそれぞれに設けられていることから、遊技盤１０の左右方向において対称位置かつ遊技者が視認可能となるように配置されていることになる。
【００１５】
第１，第２特別図柄表示装置１２，１３では、複数種類の特別図柄を変動させて表示する図柄変動ゲームが行われる。特別図柄は、大当りか否かの内部抽選（大当り抽選）の結果を示す報知用の図柄である。以下、第１特別図柄表示装置１２で特別図柄を用いて行われる図柄変動ゲームを「第１図柄変動ゲーム」と示す一方で、第２特別図柄表示装置１３で特別図柄を用いて行われる図柄変動ゲームを「第２図柄変動ゲーム」と示す場合がある。
【００１６】
次に、第１，第２特別図柄表示装置１２，１３の構造について説明する。
左サイド飾り部材ＬＫの中央には、複数セグメント型（本実施形態では、７セグメント型）の第１特別図柄表示装置１２が配設されている。なお、第１特別図柄表示装置１２は、複数個（本実施形態では７個）の発光体（本実施形態ではＬＥＤ）をレンズカバーで覆って構成した複数個（本実施形態では７個）の第１特別図柄発光部１２ａ〜１２ｇで構成されている。六角形状とされた第１特別図柄発光部１２ａ〜１２ｇは、アラビア数字の「８」型に配置されている。具体的には、遊技者からみて左右方向に１セグメント、遊技者から見て上下方向に２セグメントで構成された長方形が形成され、残る１セグメントがその長方形の中央を横切るように配置されている。より詳しくは、遊技者からみて左上から半時計回りに、第１特別図柄発光部１２ａ、第１特別図柄発光部１２ｂ、第１特別図柄発光部１２ｃ、第１特別図柄発光部１２ｄ、第１特別図柄発光部１２ｅ、第１特別図柄発光部１２ｆの順に配置されている。そして、第１特別図柄発光部１２ａ，１２ｂ，１２ｄ，１２ｅと接するように第１特別図柄発光部１２ｇが配置されている。
【００１７】
一方、右サイド飾り部材ＲＫの中央には、複数セグメント型（本実施形態では、７セグメント型）の第２特別図柄表示装置１３が配設されている。なお、第２特別図柄表示装置１３は、複数個（本実施形態では７個）の発光体（本実施形態ではＬＥＤ）をレンズカバーで覆って構成した複数個（本実施形態では７個）の第２特別図柄発光部１３ａ〜１３ｇで構成されている。六角形状とされた第２特別図柄発光部１３ａ〜１３ｇは、アラビア数字の「８」型に配置されている。具体的には、遊技者からみて左右方向に１セグメント、遊技者から見て上下方向に２セグメントで構成された長方形が形成され、残る１セグメントがその長方形の中央を横切るように配置されている。より詳しくは、遊技者からみて左上から半時計回りに、第２特別図柄発光部１３ｅ、第２特別図柄発光部１３ｃ、第２特別図柄発光部１３ａ、第２特別図柄発光部１３ｆ、第２特別図柄発光部１３ｄ、第２特別図柄発光部１３ｂの順に配置されている。そして、第２特別図柄発光部１３ｅ，１３ｃ，１３ｆ，１３ｄと接するように第２特別図柄発光部１３ｇが配置されている。このような配置とすることにより、第１特別図柄表示装置１２と第２特別図柄表示装置１３は、同一の形状（アラビア数字の「８」）を成しているが、同一形状を構成する第１，第２特別図柄発光部１２ａ〜１２ｆ，１３ａ〜１３ｆの位置がそれぞれ異なることになる。
【００１８】
そして、第１，第２特別図柄表示装置１２，１３では、７個の第１，第２特別図柄発光部１２ａ〜１２ｇ，１３ａ〜１３ｇのうち、所定個数（１個以上）の特別図柄発光部の発光体を点灯させて、その点灯した特別図柄発光部の位置と個数によって区別される組み合わせを導出する図柄変動ゲームが発光表示されるようになっている。本実施形態のパチンコ遊技機では、図柄変動ゲームで点灯又は消灯する特別図柄発光部を特別図柄として扱っている。したがって、第１，第２特別図柄表示装置１２，１３を形成する発光体の点灯及び非点灯によって形成される特別図柄が、見かけ上の特別図柄、すなわち表示図柄に相当する。その一方で、本実施形態では、点灯している発光体のみによって形成される図柄を特別図柄として定義せず、点灯する発光体によって形成される図柄形状（点灯によって形成される図形）として区別している。
【００１９】
本実施形態において第１，第２特別図柄表示装置１２，１３には、図４及び図５に示すように、複数種類（本実施形態では５１種類）の特別図柄の中から、大当り抽選の抽選結果に対応する１つの特別図柄が選択され、その選択された特別図柄が図柄変動ゲームの終了によって確定停止表示される。なお、本実施形態において、第１特別図柄表示装置１２に表示される特別図柄を「特別図柄１」と示し、第２特別図柄表示装置１３に表示される特別図柄を「特別図柄２」と示して区別する場合がある。５１種類の特別図柄は、はずれを認識し得る図柄となる１種類のはずれ図柄（図柄番号「０」の図柄）と、大当りを認識し得る図柄（大当り表示結果に相当する）となる５０種類の大当り図柄（図柄番号「１」〜「４９」の図柄）とに分類される。
【００２０】
そして、第１特別図柄表示装置１２と演出表示装置１１では、同時に第１図柄変動ゲームと該第１図柄変動ゲームに係わる表示演出（飾り図柄変動ゲーム）が開始され、同時に終了する（即ち、同時に特別図柄と飾り図柄が確定停止表示される）。具体的には、図柄変動ゲームの開始に伴って、第１特別図柄表示装置１２では発光体の点灯及び消灯することで特別図柄の変動が開始する一方で、演出表示装置１１では各列の飾り図柄の変動が開始する。同様に、第２特別図柄表示装置１３と演出表示装置１１では、同時に第２図柄変動ゲームと該第２図柄変動ゲームに係わる表示演出（飾り図柄変動ゲーム）が開始され、同時に終了する（即ち、同時に特別図柄と飾り図柄が確定停止表示される）。具体的には、図柄変動ゲームの開始に伴って、第２特別図柄表示装置１３では発光体の点灯及び消灯することで特別図柄の変動が開始する一方で、演出表示装置１１では各列の飾り図柄の変動が開始する。その一方、第１特別図柄表示装置１２と、第２特別図柄表示装置１３では、並行して図柄変動ゲームが行われることがない。即ち、第１図柄変動ゲームと第２図柄変動ゲームのうち、どちらか一方のみが実行されるようになっている。
【００２１】
そして、演出表示装置１１には、第１，第２特別図柄表示装置１２，１３の表示結果に応じた表示結果が表示される。具体的に言えば、第１，第２特別図柄表示装置１２，１３に大当りを認識し得る大当り図柄（大当り表示結果）が確定停止表示される場合には、演出表示装置１１にも大当り図柄（大当り表示結果）が確定停止表示される。また、第１，第２特別図柄表示装置１２，１３にはずれを認識し得るはずれ図柄（はずれ表示結果）が確定停止表示される場合には、演出表示装置１１にもはずれ図柄（はずれ表示結果）が確定停止表示される。演出表示装置１１は、第１，第２特別図柄表示装置１２，１３に比較して大きい表示領域で構成されるとともに、飾り図柄は特別図柄に比較して遥かに大きく表示される。このため、遊技者は、演出表示装置１１に確定停止表示された飾り図柄から大当り又ははずれを認識し得る。
【００２２】
また、演出表示装置１１では、遊技者側から見て左列→右列→中列の順に図柄列の変動が停止するようになっており、特定の２列（本実施形態では左右の２列）に同一の飾り図柄が一旦停止表示された場合、リーチが形成される。ここで、一旦停止表示とは、画像表示部ＧＨにおいてゆれ変動状態で表示されている状態であり、画像表示部ＧＨにおいて図柄が確定停止している確定停止表示とは区別される。
【００２３】
また、左サイド飾り部材ＬＫにおいて第１特別図柄表示装置１２の下方には、複数個（本実施形態では２個）の特別図柄保留発光部を備えた第１特別図柄保留表示装置１４（第１保留表示手段）が配設されている。第１特別図柄保留表示装置１４は、機内部で記憶した特別図柄１用の始動保留球（第１始動保留球）の記憶数（以下、「第１保留記憶数」と示す）を遊技者に報知する。第１保留記憶数は、遊技盤１０に配設した第１始動入賞口１７に遊技球が入球することで１加算される一方で、第１図柄変動ゲームの開始により１減算される。したがって、第１図柄変動ゲーム又は第２図柄変動ゲーム中に第１始動入賞口１７へ遊技球が入球すると、第１保留記憶数はさらに加算されるとともに、所定の上限数（本実施形態では４個）まで累積される。
【００２４】
また、右サイド飾り部材ＲＫにおいて第２特別図柄表示装置１３の下方には、複数個（本実施形態では２個）の特別図柄保留発光部を備えた第２特別図柄保留表示装置１５（第２保留表示手段）が配設されている。第２特別図柄保留表示装置１５は、機内部で記憶した特別図柄２用の始動保留球（第２始動保留球）の記憶数（以下、「第２保留記憶数」と示す）を遊技者に報知する。第２保留記憶数は、遊技盤１０に配設した第２始動入賞口１８に遊技球が入球することで１加算される一方で、第２図柄変動ゲームの開始により１減算される。したがって、第１図柄変動ゲーム又は第２図柄変動ゲーム中に第２始動入賞口１８へ遊技球が入球すると、第２保留記憶数はさらに加算されるとともに、所定の上限数（本実施形態では４個）まで累積される。
【００２５】
また、右サイド飾り部材ＲＫにおいて第２特別図柄表示装置１３の下方には、普通図柄表示装置１６が配設されている。普通図柄表示装置１６では、複数種類の普通図柄を変動させて１つの普通図柄を導出する普通図柄変動ゲーム（以下「普図ゲーム」と示す）が行われる。本実施形態の普通図柄表示装置１６は、図示しない発光体（ＬＥＤやランプなど）をレンズカバーで覆って構成した複数個（本実施形態では２個）の普通図柄表示部から構成されている。普通図柄表示装置１６では、大当り抽選とは別に行う普図当りか否かの内部抽選（後述する普図当り抽選）の抽選結果を表示する。すなわち、普図当り抽選に当選した場合には、普図ゲームで普通図柄の当り図柄（本実施形態では下側の普通図柄表示部が点灯）が確定停止表示（導出）される。一方、普図当り抽選に当選しない場合（はずれの場合）には、普通図柄のはずれ図柄（本実施形態では上側の普通図柄表示部が点灯）が確定停止表示（導出）される。
【００２６】
また、演出表示装置１１の下方には、遊技球の入球口１７ａを有する第１始動入賞口１７と遊技球の入球口１８ａを有する第２始動入賞口１８が上下方向に並ぶように配置されている。第１始動入賞口１７は、常時遊技球の入球を許容し得るように入球口１７ａを常時開放させた構成とされている。一方で、第２始動入賞口１８は普通電動役物とされ、図示しないアクチュエータ（ソレノイド、モータなど）の作動により開閉動作を行う開閉羽根１９を備えており、開閉羽根１９が開動作することにより遊技球の入球を許容し得るように入球口１７ａを開放させる構成とされている。そして、始動入賞口１７，１８の奥方には入球した遊技球を検知する始動口スイッチＳＷ１，ＳＷ２（図２に示す）が配設されている。始動入賞口１７，１８は、入球した遊技球を始動口スイッチＳＷ１，ＳＷ２で入球検知することにより、図柄変動ゲームの始動条件と予め定めた個数の賞球としての遊技球の払出条件を付与し得る。
【００２７】
また、第２始動入賞口１８の下方には、図示しないアクチュエータ（ソレノイド、モータなど）の作動により開閉動作を行う大入賞口扉２０を備えた大入賞口（特別電動役物）２１が配設されている。大入賞口２１の奥方には、入球した遊技球を検知するカウントスイッチＳＷ３（図２に示す）が配設されている。大入賞口２１は、入球した遊技球を検知することにより、予め定めた個数（例えば１０個）の賞球としての遊技球の払出条件を付与し得る。大入賞口２１は、大当り遊技中に大入賞口扉２０の開動作によって開放されることで遊技球の入球が許容される。このため、大当り遊技中、遊技者は、賞球を獲得できるチャンスを得ることができる。
【００２８】
また、演出表示装置１１の左方には、普通図柄作動ゲート（以下「ゲート」と示す）２２が配設されている。ゲート２２の奥方には、入球し通過した遊技球を検知するゲートスイッチＳＷ４（図２に示す）が配設されている。ゲート２２は、遊技球の通過を契機に、普図ゲームの始動条件（普図当り抽選の抽選契機）のみを付与し得る。
【００２９】
また、本実施形態のパチンコ遊技機は、大当り遊技終了後に大当り抽選の当選確率（抽選確率）を低確率から高確率に変動（向上）させる確率変動（以下「確変」と示す）状態を付与可能に構成されている。本実施形態において確変状態は、次回の大当り遊技が生起されるまでの間、付与される。確変状態は、大当り抽選の当選確率が高確率に変動して大当りが生起され易くなるため、遊技者にとって有利な状態となる。
【００３０】
また、本実施形態のパチンコ遊技機は、変動時間短縮（以下、「変短」と示す）機能を備えている。変短機能は、普図ゲームの変動時間が短縮されるとともに、ゲート２２の通過に基づく普図当り抽選の当選確率（抽選確率）を低確率から高確率に変動させる変短状態を付与する機能である。また、変短状態中は、１回の普図当り抽選に当選したことに基づく開閉羽根１９の合計開放時間が、非変短状態中に比して長くなる。そして、変短状態は、予め定めた回数の図柄変動ゲームが行われるまでの間、又は前記回数に達する前に大当りが生起されるまでの間、付与される。なお、変短状態が付与されると、非変短状態時に比して、普図当りか否かの普図当り判定（普図当り抽選）の当選確率が高くなる。また、変短状態時に行われる普図ゲームの変動時間は、非変短状態時に行われる普図ゲームの変動時間よりも短縮される。さらに、普図当りとなる普図ゲームの終了後、普図当り時の遊技状態に応じて開閉羽根１９の開放態様が異なる。具体的には、非変短状態には開閉羽根１９が、第１開放時間（例えば、０．３（秒））で第１回数（例えば、１（回））分開放される一方で、変短状態時には開閉羽根１９が、第２開放時間（例えば、１．４（秒））で第２回数（例えば、３（回））分開放される。
【００３１】
次に、本実施形態のパチンコ遊技機に設定されている大当りの種類について図３〜図５に従って説明する。
大当り遊技は、図柄変動ゲームにて大当り図柄が確定停止表示され、その図柄変動ゲームの終了後に開始される。大当り遊技が開始すると、最初に大当り遊技の開始を示すオープニング演出が行われる。オープニング演出の終了後には、大入賞口２１が開放されるラウンド遊技が予め定めた規定ラウンド数を上限（本実施形態では、９ラウンド）として複数回行われる。１回のラウンド遊技は、ラウンド遊技が開始してから予め定めたラウンド遊技時間（本実施形態では、２５秒）が経過すること、又は予め定めた入球上限個数（本実施形態では、９球）の遊技球が入球することの何れか早く成立した方の条件を満たすことにより終了する。そして、大当り遊技は、規定ラウンド数のラウンド遊技の終了後に大当り遊技の終了を示すエンディング演出が行われて終了する。
【００３２】
本実施形態のパチンコ遊技機では、特別図柄１の大当り抽選に当選した場合、図柄Ａ、図柄Ｂ、図柄Ｃに示す３種類の大当りの中から１つの大当りが決定され、その決定された大当りに基づく大当り遊技が付与される。一方、特別図柄２の大当り抽選に当選した場合、図柄ａ、図柄ｂ、図柄ｃに示す３種類の大当りの中から１つの大当りが決定され、その決定された大当りに基づく大当り遊技が付与される。
【００３３】
ただし、本実施形態では、特別図柄１の大当り抽選で大当りに当選したときと、特別図柄２の大当り抽選で大当りに当選したときで選択可能な大当り図柄の選択率が異なっている。すなわち、図柄Ａ〜Ｃ（図柄ａ〜ｃ）に属する特別図柄に対して特図振分用乱数の取り得る数値を異ならせている。具体的に説明すると、図柄Ａに分類される大当り図柄は、図４（ｂ）に示すように、図柄番号「１」〜「１０」を付した１０種類の図柄（確変大当り用の特別図柄）である。また、図柄ａに分類される大当り図柄は、図５（ｂ）に示すように、図柄番号「１」〜「２０」、「２２」〜「２５」、「２７」を付した２５種類の図柄（確変大当り用の特別図柄）である。以下の説明では、図柄Ａ及び図柄ａに基づく大当り遊技を「通常確変大当り遊技」と示すとともに、図柄Ａ及び図柄ａに基づく大当り種を「通常確変大当り」と示す。
【００３４】
図柄Ｂに分類される大当り図柄は、図４（ｃ）に示すように、図柄番号「１１」〜「３０」を付した２０種類の図柄（確変大当り用の特別図柄）である。また、図柄ｂに分類される大当り図柄は、図５（ｃ）に示すように、図柄番号「２８」、「３１」〜「３４」を付した５種類の図柄（確変大当り用の特別図柄）である。以下の説明では、図柄Ｂ及び図柄ｂに基づく大当り遊技を「特別確変大当り遊技」と示すとともに、図柄Ｂ及び図柄ｂに基づく大当り種を「特別確変大当り」と示す。
【００３５】
図柄Ｃに分類される大当り図柄は、図４（ｄ）に示すように、図柄番号「３１」〜「５０」を付した２０種類の図柄（非確変大当り用の特別図柄）である。また、図柄ｃに分類される大当り図柄は、図５（ｄ）に示すように、図柄番号「２１」、「２６」、「２９」、「３０」、「３５」〜「５０」を付した２０種類の図柄（非確変大当り用の特別図柄）である。以下の説明では、図柄Ｃ及び図柄ｃに基づく大当り遊技を「非確変大当り遊技」と示すとともに、図柄Ｃ及び図柄ｃに基づく大当り種を「非確変大当り」と示す。
【００３６】
通常確変大当りに基づく大当り遊技終了後には、大当り抽選の当選時における遊技状態に関係なく、確変状態（次回大当りまで）と、その確変状態の終了時まで変短状態が付与される。その一方で、特別確変大当りに基づく大当り遊技終了後には、大当り抽選の当選時における遊技状態に関係なく、確変状態（次回大当りまで）と、１００回の図柄変動ゲームが終了するまでを変短上限回数として変短状態が付与される。一方、非確変大当りに基づく大当り遊技終了後には、大当り抽選の当選時における遊技状態に関係なく、確変状態が付与されずに、１００回の図柄変動ゲームが終了するまでを変短上限回数として変短状態が付与される。
【００３７】
そして、特別図柄１において、図柄Ａに属する大当り図柄には１０個の乱数値が、図柄Ｂに属する大当り図柄には２０個の乱数値が、図柄Ｃに属する大当り図柄には２０個の乱数値が、それぞれ振分けられている。この振分けによれば、特別図柄１において、図柄Ａの大当りが２０％（５０分の１０）、図柄Ｂの大当りが４０％（５０分の２０）、図柄Ｃの大当りが４０％（５０分の２０）になる。その結果、特別図柄１の大当りにおいては、大当り全体の６０％（２０％＋４０％）が確変大当りとなり、大当り全体の４０％が非確変大当りとなる。
【００３８】
一方、特別図柄２において、図柄ａに属する大当り図柄には２５個の乱数値が、図柄ｂに属する大当り図柄には５個の乱数値が、図柄ｃに属する大当り図柄には２０個の乱数値が、それぞれ振分けられている。この振分けによれば、特別図柄２において、図柄ａの大当りが５０％（５０分の２５）、図柄ｂの大当りが１０％（５０分の５）、図柄ｃの大当りが４０％（５０分の２０）になる。その結果、特別図柄２の大当りにおいては、大当り全体の６０％（５０％＋１０％）が確変大当りとなり、大当り全体の４０％が非確変大当りとなる。
【００３９】
上記構成によれば、特別図柄１の大当りと特別図柄２の大当りでは、何れも確変大当りの割合が６０％であって同一割合に設定されているとともに、何れも非確変大当りの割合が４０％であって同一割合に設定されている。そして、特別図柄１の確変大当りと特別図柄２の確変大当りでは、特別図柄１における図柄Ａの割合が２０％に設定されているのに対し、特別図柄２における図柄ａの割合が５０％に設定されており、特別図柄２の方が通常確変大当りを選択し易くなっている。これは、大当り抽選で大当りに当選した場合、第１図柄変動ゲームよりも第２図柄変動ゲームで大当り図柄が導出されたときの方が、通常確変大当り遊技が付与され易くなっていることを示す。即ち、確変状態を付与する図柄Ａ（図柄ａ）と図柄Ｂ（図柄ｂ）を比較すると、変短上限回数の多い図柄Ａ（図柄ａ）の方が持ち球の減少を抑えつつゲームが実行されることになる。これにより、図柄ａを選択しやすい第２図柄変動ゲームの方が、第１図柄変動ゲームよりも遊技者にとって有利である。
【００４０】
次に、本実施形態に設定されている特別図柄について図４及び図５に従って説明する。
本実施形態のパチンコ遊技機では、第１図柄変動ゲーム及び第２図柄変動ゲームにおいて５１種類の特別図柄が共通化されている。そして、本実施形態の特別図柄は特別図柄発光部の点灯／非点灯によって形成されるので、第１図柄変動ゲーム及び第２図柄変動ゲームにおいて同一の図柄番号が選択された場合、各図柄変動ゲームで表示される特別図柄は、内部的に同一となる。また、本実施形態では、第１，第２特別図柄発光部１２ａ〜１２ｇ，１３ａ〜１３ｇに対して、各発光部を区別する管理番号を同一に定め、内部的に同一の管理番号を付すことで、点灯させる特別図柄発光部を内部的に同一として管理している。具体的には、第１，第２特別図柄発光部１２ａ，１３ａには、管理番号として「ａ」が対応付けられている一方で、第１，第２特別図柄発光部１２ｂ，１３ｂには、管理番号として「ｂ」が対応付けられている。以下同様に、第１，第２特別図柄発光部１２ｃ，１３ｃには管理番号として「ｃ」が対応付けられている一方で、第１，第２特別図柄発光部１２ｄ，１３ｄには管理番号として「ｄ」が対応付けられている。また、第１，第２特別図柄発光部１２ｅ，１３ｅには管理番号として「ｅ」が対応付けられている一方で、第１，第２特別図柄発光部１２ｆ，１３ｆには管理番号として「ｆ」が対応付けられている。さらに、第１，第２特別図柄発光部１２ｇ，１３ｇには管理番号として「ｇ」が対応付けられている。
【００４１】
加えて、本実施形態のパチンコ遊技機では、図柄番号と点灯させる特別図柄発光部を特定するための点灯パターンを１対１の関係で対応付けている。例えば、図４（ｂ）及び図５（ｂ）に示す図柄番号「７」の特別図柄には、管理番号「ａ」、「ｃ」、「ｄ」、「ｇ」で構成される点灯パターンが対応付けられている。これにより、主制御用ＣＰＵ３０ａは、第１図柄変動ゲーム又は第２図柄変動ゲームを実行される場合、点灯パターンに基づいて管理番号を特定できるので、管理番号で特定される特別図柄発光部を点灯させることができる。また、本実施形態では、７セグメント型の第１，第２特別図柄表示装置１２，１３を構成する第１，第２特別図柄発光部１２ａ〜１２ｆ，１３ａ〜１３ｆの位置が異なっているため、同一の図柄番号が決定された場合であっても、点灯箇所が異なることになるので、見かけ上の特別図柄の形状が異なることになる。
【００４２】
例えば、図４（ｄ）に示すように、図柄番号「４０」の特別図柄が第１特別図柄表示装置１２に表示されると、第１特別図柄発光部１２ｂ〜１２ｅ，１２ｇが点灯する一方で、第１特別図柄発光部１２ａ，１２ｆが点灯しないことによって、アルファベットの「ｄ」を模した形状の特別図柄１が形成される。一方で、図５（ｂ）に示すように、図柄番号「４０」の特別図柄が第２特別図柄表示装置１３に表示されると、第２特別図柄発光部１３ｂ〜１３ｅ，１３ｇが点灯する一方で、第２特別図柄発光部１３ａ，１３ｆが点灯しないことによって、アルファベットの「Ｐ」を模した形状の特別図柄２が形成される。
【００４３】
ただし、図４（ａ）に示すように、図柄番号「０」の特別図柄が第１特別図柄表示装置１２に表示されると、第１特別図柄発光部１２ｇが点灯する一方で、第１特別図柄発光部１２ａ〜１２ｆが点灯しないことによって、棒状の特別図柄１が形成される。同様に、図５（ａ）に示すように、図柄番号「０」の特別図柄が第２特別図柄表示装置１３に表示されると、第２特別図柄発光部１３ｇが点灯する一方で、第２特別図柄発光部１３ａ〜１３ｆが点灯しないことによって、棒状の特別図柄２が形成される。本実施形態では、７セグメント型の第１，第２特別図柄表示装置１２，１３を形成する第１，第２特別図柄発光部１２ｇ，１３ｇの配置が同一であるため、図柄番号「０」の特別図柄は、第１，第２特別図柄表示装置１２，１３に表示された際に同一形状となる。また、図４（ｂ）に示すように、図柄番号「１」の特別図柄が第１特別図柄表示装置１２に表示されると、第１特別図柄発光部１２ａ〜１２ｇが点灯することによって、アラビア数字の「８」を模した形状の特別図柄１が形成される。
【００４４】
同様に、図５（ｂ）に示すように、図柄番号「１」の特別図柄が第２特別図柄表示装置１３に表示されると、第２特別図柄発光部１３ａ〜１３ｇが点灯することによって、アラビア数字の「８」を模した形状の特別図柄２が形成される。本実施形態では、第１，第２特別図柄発光部１２ａ〜１２ｆ，１３ａ〜１３ｆの位置が異なっているが、７セグメント型を形成し得るように配置されているので、全ての特別図柄発光部が点灯することによって形成される特別図柄の形状は、第１，第２特別図柄表示装置１２，１３において同一となる。
【００４５】
さらに、本実施形態のパチンコ遊技機では、第１図柄変動ゲーム及び第２図柄変動ゲームにおいて、各図柄番号で特定される特別図柄の大当りに対する振分態様を異ならせている。その結果、第１図柄変動ゲーム及び第２図柄変動ゲームにおいて大当りの種類が異なることになる。
【００４６】
例えば、図４（ｃ）に示すように、図柄番号「２０」の特別図柄は、第１図柄変動ゲームでは特別確変大当りに対応する図柄番号として対応付けられているが、図５（ｂ）に示すように、図柄番号「２０」の特別図柄は、第２図柄変動ゲームでは通常確変大当りに対応する図柄番号として対応付けられている。また、第１図柄変動ゲーム及び第２図柄変動ゲームにおいて同一の図柄番号が選択された場合、１つの図柄番号には１つの点灯パターンが対応付けられているため、第１，第２特別図柄表示装置１２，１３において同一の管理番号が定められた特別図柄発光部が点灯することになる。しかしながら、７セグメント型の第１，第２特別図柄表示装置１２，１３を形成する第１，第２特別図柄発光部１２ａ〜１２ｆ，１３ａ〜１３ｆの位置が異なっているため、同一の図柄番号が選択されたとしても、第１，第２特別図柄表示装置１２，１３に表示される特別図柄の形状が異なることになる。例えば、図４（ｃ）及び図５（ｂ）に示す図柄番号「２０」の特別図柄が第１特別図柄表示装置１２に表示されると、第１特別図柄発光部１２ａ，１２ｂ，１２ｄ〜１２ｇが点灯する一方で、第１特別図柄発光部１２ｃが点灯しないことによって、アルファベットの「Ａ」を模した形状の特別図柄１が形成される。その一方で、図柄番号「２０」の特別図柄が第２特別図柄表示装置１３に表示されると、第２特別図柄発光部１３ａ，１３ｂ，１３ｄ〜１３ｇが点灯する一方で、第２特別図柄発光部１３ｃが点灯しないことによって、アラビア数字の「９」を模した形状の特別図柄２が形成される。このため、特別図柄１と特別図柄２の形状が異なることになる。
【００４７】
また、第１，第２特別図柄表示装置１２，１３では、第１，第２特別図柄発光部１２ａ〜１２ｆ，１３ａ〜１３ｆの位置を異ならせているが、７セグメント型を形成し得るように配置されているので、特定の図柄番号が選択された場合、点灯している特別図柄発光部によって形成される図柄形状が同一となる場合がある。例えば、図４（ｄ）に示す図柄番号「３１」の特別図柄が第１特別図柄表示装置１２に表示された場合、及び図５（ｂ）に示す図柄番号「３」の特別図柄が第２特別図柄表示装置１３に表示された場合、ともにアラビア数字の「３」を模した形状を成すことになる。ところが、これらの特別図柄は、異なる図柄番号によって特定されるため、点灯した特別図柄発光部によって形成される図柄形状が同一であっても、図柄番号が異なるため、これらの特別図柄は見た目の形状は同一だが内部的には異なる特別図柄として設定されていることになる。本実施形態では、図柄番号が制御情報に相当する。
【００４８】
次に、パチンコ遊技機の制御構成を図２に従って説明する。
機裏側には、パチンコ遊技機全体を制御する主制御基板３０が装着されている。主制御基板３０は、パチンコ遊技機全体を制御するための各種処理を実行するとともに、該処理結果に応じた各種の制御信号（制御コマンド）を出力する。また、機裏側には、演出制御基板３１が装着されている。演出制御基板３１は、主制御基板３０が出力した制御指令に基づき、各種の演出装置の動作を制御する。
【００４９】
以下、主制御基板３０及び演出制御基板３１の具体的構成を説明する。
主制御基板３０には、制御動作を所定の手順で実行する主制御用ＣＰＵ３０ａと、主制御用ＣＰＵ３０ａの制御プログラムを格納する主制御用ＲＯＭ３０ｂと、必要なデータの書き込み及び読み出しができる主制御用ＲＡＭ３０ｃが設けられている。そして、主制御用ＣＰＵ３０ａには、各種スイッチＳＷ１〜ＳＷ４が遊技球を検知して出力する検知信号を入力可能に接続されている。また、主制御用ＣＰＵ３０ａには、左サイド飾り部材ＬＫ内に装着される左サイド飾り基板ＬＫ１を介して、第１特別図柄表示装置１２及び第１特別図柄保留表示装置１４が接続されている。第１特別図柄表示装置１２及び第１特別図柄保留表示装置１４を形成する各発光体は、左サイド飾り基板ＬＫ１に実装されている。さらに、主制御用ＣＰＵ３０ａには、右サイド飾り部材ＲＫ内に装着される右サイド飾り基板ＲＫ１を介して、第２特別図柄表示装置１３、第２特別図柄保留表示装置１５及び普通図柄表示装置１６が接続されている。第２特別図柄表示装置１３、第２特別図柄保留表示装置１５、及び普通図柄表示装置１６を形成する各発光体は、右サイド飾り基板ＲＫ１に実装されている。
【００５０】
また、主制御用ＣＰＵ３０ａは、大当り判定用乱数、リーチ判定用乱数、普図当り判定用乱数、及び特図振分用乱数などの各種乱数の値を所定の周期毎に更新する乱数更新処理（乱数生成処理）を実行する。大当り判定用乱数は、大当り抽選（大当り判定）で用いる乱数である。リーチ判定用乱数は、大当り抽選で大当りに当選しなかった場合、すなわちはずれの場合にリーチを形成するか否かのリーチ抽選（リーチ判定）で用いる乱数である。普図当り判定用乱数は、普図当りか否かの普図当り抽選で用いる乱数である。特図振分用乱数は、大当り図柄を決定する際に用いる乱数である。また、本実施形態において、大当り判定用乱数、リーチ判定用乱数、普図当り判定用乱数、及び特図振分用乱数は、第１図柄変動ゲーム及び第２図柄変動ゲームにおいて共通使用している。すなわち、第１始動入賞口１７へ遊技球が入賞したことを契機に取得する各種乱数は、第２始動入賞口１８へ遊技球が入賞したことを契機に取得する各種乱数と同一のものである。また、主制御用ＲＡＭ３０ｃには、パチンコ遊技機の動作中に適宜書き換えられる各種情報（乱数値、タイマ値、フラグなど）が記憶（設定）される。
【００５１】
主制御用ＲＯＭ３０ｂには、メイン制御プログラム、各種の判定値（大当り判定値、リーチ判定値、普図当り判定値など）が記憶されている。大当り判定値は、大当り抽選で用いる判定値であり、大当り判定用乱数の取り得る数値（０〜９５２までの全９５３通りの整数）の中から定められている。本実施形態では、非確変状態用の大当り判定値として３個の値が設定されており、大当り抽選で当選する確率は９５３分の３となる。一方、確変状態用の大当り判定値として３０個の値が設定されており、大当り抽選で当選する確率は９５３分の３０となる。リーチ判定値は、はずれを決定する場合にリーチを形成するか否かの内部抽選（リーチ判定）で用いる判定値であり、リーチ判定用乱数の取り得る数値（０〜２４０までの全２４１通りの整数）の中から定められている。普図当り判定値は、普図当り抽選で用いる判定値であり、普図当り判定用乱数の取り得る数値（０〜２５０までの全２５１通りの整数）の中から定められている。本実施形態では、非変短状態用の普図当り判定値として１０個の値が設定されており、普図当り抽選で当選する確率は２５１分の１０となる。一方、本実施形態では、変短状態用の普図当り判定値として２５０個の値が設定されており、普図当り抽選で当選する確率は２５１分の２５０となる。
【００５２】
また、主制御用ＲＯＭ３０ｂには、複数種類の変動パターンが記憶されている。変動パターンは、図柄変動ゲームが開始してから図柄変動ゲームが終了するまでの間の演出（表示演出、発光演出、音声演出）のベースとなるパターンであって、図柄変動ゲームの変動内容（演出内容）及び変動時間（演出時間）を特定し得る。本実施形態において、複数種類の変動パターンは、大当り変動用の変動パターン、はずれリーチ変動用の変動パターン、及びはずれ変動用の変動パターンに分類できる。大当り変動は、大当り抽選に当選した場合に行われる変動である。そして、大当り変動では、特別図柄による図柄変動ゲームにおいて最終的に大当り図柄を確定停止表示させる。一方、大当り変動では、飾り図柄による図柄変動ゲームにおいて、リーチ演出を経て、最終的に大当り図柄を確定停止表示させる。はずれリーチ変動は、大当り抽選に当選せずに、リーチ抽選に当選した場合に行われ、特別図柄による図柄変動ゲームにおいて最終的にはずれ図柄を確定停止表示させる。一方、はずれリーチ変動では、飾り図柄による図柄変動ゲームにおいて、リーチ演出を経て、最終的にはずれ図柄を確定停止表示させる。はずれ変動は、大当り抽選及びリーチ抽選の何れにも当選しなかった場合に行われ、特別図柄による図柄変動ゲームにおいて最終的にはずれ図柄を確定停止表示させる。一方、はずれ変動では、飾り図柄による図柄変動ゲームにおいて、リーチ演出を経ないで、最終的にはずれ図柄を確定停止表示させる。なお、特別図柄による図柄変動ゲームでは、特別図柄の変動が開始されると、リーチ演出を行うことなく、変動時間の経過時まで特別図柄の変動が継続される。そして、大当り変動用、はずれリーチ変動用及びはずれ変動用の変動パターンは、それぞれ複数種類あり、何れかが選択される。
【００５３】
次に、演出制御基板３１について説明する。
演出制御基板３１には、制御動作を所定の手順で実行する演出制御用ＣＰＵ３１ａと、演出制御用ＣＰＵ３１ａの制御プログラムを格納する演出制御用ＲＯＭ３１ｂと、必要なデータの書き込み及び読み出しができる演出制御用ＲＡＭ３１ｃが設けられている。また、演出制御用ＲＡＭ３１ｃには、パチンコ遊技機の動作中に適宜書き換えられる各種情報（タイマ値、フラグなど）が記憶（設定）される。また、演出制御用ＣＰＵ３１ａには、演出表示装置１１が接続されている。また、演出制御用ＲＯＭ３１ｂには、各種の画像データ（図柄、背景、文字、キャラクタなどの画像データ）が記憶されている。
【００５４】
以下、主制御基板３０の主制御用ＣＰＵ３０ａが、メイン制御プログラムに基づき実行する特別図柄入力処理や特別図柄開始処理などの各種処理について説明する。本実施形態において主制御用ＣＰＵ３０ａは、所定の制御周期（例えば、４ｍｓ）毎に特別図柄入力処理や特別図柄開始処理などの各種処理を実行する。なお、特別図柄開始処理は、特別図柄入力処理の終了後に実行される。
【００５５】
最初に、特別図柄入力処理について説明する。
まず、主制御用ＣＰＵ３０ａは、始動口スイッチＳＷ１から検知信号を入力しているか否かに基づき、第１始動入賞口１７に遊技球が入球したか否かを判定する。この判定結果が肯定の場合、主制御用ＣＰＵ３０ａは、主制御用ＲＡＭ３０ｃに記憶されている第１保留記憶数が上限数の４未満であるか否かを判定する。第１保留記憶数が４未満である場合、主制御用ＣＰＵ３０ａは、第１保留記憶数を＋１（１加算）する。第１保留記憶数を更新（１加算）した主制御用ＣＰＵ３０ａは、更新後（加算後）の第１保留記憶数を表示するように第１特別図柄保留表示装置１４の表示内容を変更する。その後、主制御用ＣＰＵ３０ａは、各種乱数の値を主制御用ＲＡＭ３０ｃから読み出して取得し、該値を第１保留記憶数に対応する主制御用ＲＡＭ３０ｃの所定の記憶領域に設定する。本実施形態において、主制御用ＣＰＵ３０ａは、大当り判定用乱数、特図振分用乱数、及びリーチ判定用乱数の各値を取得する。その後、主制御用ＣＰＵ３０ａは、特別図柄入力処理を終了する。
【００５６】
一方、第１始動入賞口１７に遊技球が入球していない場合、又は第１始動入賞口１７に遊技球が入球したが第１保留記憶数が「４」未満でない場合、主制御用ＣＰＵ３０ａは、第２始動入賞口１８に遊技球が入球したか否かを判定する。第２始動入賞口１８に遊技球が入球していない場合、主制御用ＣＰＵ３０ａは、特別図柄入力処理を終了する。一方、第２始動入賞口１８に遊技球が入球した場合、主制御用ＣＰＵ３０ａは、主制御用ＲＡＭ３０ｃに記憶されている第２保留記憶数が上限数の４未満であるか否かを判定する。第２保留記憶数が４未満でない場合、主制御用ＣＰＵ３０ａは、特別図柄入力処理を終了する。一方、第２保留記憶数が４未満である場合、主制御用ＣＰＵ３０ａは、第２保留記憶数を＋１（１加算）する。第２保留記憶数を更新（１加算）した主制御用ＣＰＵ３０ａは、更新後（加算後）の第２保留記憶数を表示するように第２特別図柄保留表示装置１５の表示内容を変更する。その後、主制御用ＣＰＵ３０ａは、各種乱数の値を主制御用ＲＡＭ３０ｃから読み出して取得し、該値を第２保留記憶数に対応する主制御用ＲＡＭ３０ｃの所定の記憶領域に設定する。本実施形態において、主制御用ＣＰＵ３０ａは、大当り判定用乱数、特図振分用乱数、及びリーチ判定用乱数の各値を取得する。その後、主制御用ＣＰＵ３０ａは、特別図柄入力処理を終了する。
【００５７】
次に、特別図柄開始処理について説明する。
まず、主制御用ＣＰＵ３０ａは、図柄変動ゲームの実行中、及び大当り遊技中か否かの実行条件判定を実行する。この実行条件判定の判定結果が肯定の場合、主制御用ＣＰＵ３０ａは、特別図柄開始処理を終了する。一方、実行条件判定の判定結果が否定（図柄変動ゲーム中ではなく、かつ大当り遊技中ではない）の場合、主制御用ＣＰＵ３０ａは、主制御用ＲＡＭ３０ｃに記憶されている第２保留記憶数が「０（零）」よりも大きいか否かを判定する。第２保留記憶数が１以上の場合、主制御用ＣＰＵ３０ａは、保留中の第２図柄変動ゲームが存在するので、主制御用ＲＡＭ３０ｃの所定の記憶領域に割り当てられた特別図柄変動処理フラグに第２図柄変動ゲームを実行することを示す値「１」を設定する。そして、主制御用ＣＰＵ３０ａは、第２保留記憶数を「１」減算し、更新後（減算後）の第２保留記憶数を表示するように第２特別図柄保留表示装置１５の表示内容を変更する。そして、主制御用ＣＰＵ３０ａは、第２保留記憶数に対応付けられて主制御用ＲＡＭ３０ｃの所定の記憶領域に記憶されている大当り判定用乱数の値を読み出す。このとき、主制御用ＣＰＵ３０ａは、主制御用ＲＡＭ３０ｃに記憶されている第２始動保留球のうち、最も早く記憶した第２始動保留球に対応する大当り判定用乱数の値を読み出す。
【００５８】
そして、主制御用ＣＰＵ３０ａは、大当り判定用乱数の値と大当り判定値を比較し、両値が一致するか否かの大当り判定（大当り抽選）をする。このとき、主制御用ＣＰＵ３０ａは、現在の遊技状態が非確変状態の場合、非確変状態用の大当り判定値を用いて大当り判定を行う一方で、現在の遊技状態が確変状態の場合、確変状態用の大当り判定値を用いて大当り判定を行う。なお、主制御用ＣＰＵ３０ａは、主制御用ＲＡＭ３０ｃに設定された制御フラグ（後述する確変フラグ）に基づき現在の遊技状態が確変状態か否かを把握する。
【００５９】
大当り判定の判定結果が肯定の場合、主制御用ＣＰＵ３０ａは、大当り変動となる図柄変動ゲームを実行させるための大当り変動処理を実行する。大当り変動処理において主制御用ＣＰＵ３０ａは、最も早く記憶した第２始動保留球に対応する特図振分用乱数の値を読み出す。そして、主制御用ＣＰＵ３０ａは、該特図振分用乱数の値をもとに第２特別図柄表示装置１３に確定停止表示させる特別図柄２として大当り図柄を決定する。本実施形態において特別図柄の大当り図柄は、大当りの種類毎に設定されていることから、大当り図柄を決定することによって遊技者に付与する大当りの種類を決定したことになる。このとき、主制御用ＣＰＵ３０ａは、特図振分用乱数に基づき、図柄ａ〜ｃに分類される特別図柄２を決定するようになっており、例えば、特図振分用乱数として［１０］を取得した場合、図柄番号「１０」の特別図柄を第２特別図柄表示装置１３に確定停止表示させる特別図柄２として決定する。また、主制御用ＣＰＵ３０ａは、大当り変動用の変動パターンを選択し、決定する。その後、主制御用ＣＰＵ３０ａは、特別図柄開始処理を終了する。
【００６０】
一方、大当り判定の判定結果が否定の場合、主制御用ＣＰＵ３０ａは、大当り判定用乱数の値が大当りとなる値ではないことからはずれを認識する。そして、主制御用ＣＰＵ３０ａは、第２保留記憶数に対応付けられたリーチ判定用乱数の値を読み出すとともに、リーチ判定用乱数の値とリーチ判定値を比較してリーチか否かのリーチ判定（リーチ抽選）を行う。このリーチ判定の判定結果が肯定の場合、主制御用ＣＰＵ３０ａは、リーチ抽選でリーチに当選したことから、はずれリーチ変動となる図柄変動ゲームを実行させるためのリーチ変動処理を実行する。リーチ変動処理において主制御用ＣＰＵ３０ａは、図柄番号「０」の特別図柄を第２特別図柄表示装置１３に確定停止表示させる特別図柄２として決定する。また、主制御用ＣＰＵ３０ａは、はずれリーチ変動用の変動パターンを選択し、決定する。その後、主制御用ＣＰＵ３０ａは、特別図柄開始処理を終了する。
【００６１】
また、リーチ判定の判定結果が否定の場合、主制御用ＣＰＵ３０ａは、はずれ変動となる図柄変動ゲームを実行させるためのはずれ変動処理を実行する。はずれ変動処理において主制御用ＣＰＵ３０ａは、図柄番号「０」の特別図柄を第２特別図柄表示装置１３に確定停止表示させる特別図柄２として決定する。また、主制御用ＣＰＵ３０ａは、はずれ変動用の変動パターンを選択し、決定する。その後、主制御用ＣＰＵ３０ａは、特別図柄開始処理を終了する。
【００６２】
また、第２保留記憶数が「０」の場合、主制御用ＣＰＵ３０ａは、主制御用ＲＡＭ３０ｃに記憶されている第１保留記憶数が「０」よりも大きいか否かを判定する。第１保留記憶数が「０」の場合、保留中の第１図柄変動ゲームが存在しないので、主制御用ＣＰＵ３０ａは、特別図柄開始処理を終了する。その一方で、第１保留記憶数が「０」よりも大きい場合、保留中の第１図柄変動ゲームが存在するので、特別図柄変動処理フラグに第１図柄変動ゲームを実行することを示す値「０」を設定する。そして、主制御用ＣＰＵ３０ａは、第１保留記憶数を「１」減算し、更新後（減算後）の第１保留記憶数を表示するように第１特別図柄保留表示装置１４の表示内容を変更する。そして、主制御用ＣＰＵ３０ａは、第１保留記憶数に対応付けられて主制御用ＲＡＭ３０ｃの所定の記憶領域に記憶されている大当り判定用乱数の値を読み出す。このとき、主制御用ＣＰＵ３０ａは、主制御用ＲＡＭ３０ｃに記憶されている第１始動保留球のうち、最も早く記憶した第１始動保留球に対応する大当り判定用乱数の値を読み出す。
【００６３】
そして、主制御用ＣＰＵ３０ａは、大当り判定用乱数の値と大当り判定値を比較し、両値が一致するか否かの大当り判定（大当り抽選）をする。このとき、主制御用ＣＰＵ３０ａは、現在の遊技状態が非確変状態の場合、非確変状態用の大当り判定値を用いて大当り判定を行う一方で、現在の遊技状態が確変状態の場合、確変状態用の大当り判定値を用いて大当り判定を行う。
【００６４】
大当り判定の判定結果が肯定の場合、主制御用ＣＰＵ３０ａは、大当り変動処理を実行する。大当り変動処理において主制御用ＣＰＵ３０ａは、最も早く記憶した第１始動保留球に対応する特図振分用乱数の値を読み出す。そして、主制御用ＣＰＵ３０ａは、該特図振分用乱数の値をもとに第１特別図柄表示装置１２に確定停止表示させる特別図柄１として大当り図柄を決定する。このとき、主制御用ＣＰＵ３０ａは、特図振分用乱数に基づき、図柄Ａ〜Ｃに分類される特別図柄１を決定するようになっており、例えば、特図振分用乱数として［１０］を取得した場合、図柄番号「１０」の特別図柄を第１特別図柄表示装置１２に確定停止表示させる特別図柄１として決定する。また、主制御用ＣＰＵ３０ａは、大当り変動用の変動パターンを選択し、決定する。その後、主制御用ＣＰＵ３０ａは、特別図柄開始処理を終了する。
【００６５】
一方、大当り判定の判定結果が否定の場合、主制御用ＣＰＵ３０ａは、大当り判定用乱数の値が大当りとなる値ではないことからはずれを認識する。そして、主制御用ＣＰＵ３０ａは、第１保留記憶数に対応付けられたリーチ判定用乱数の値を読み出すとともに、リーチ判定用乱数の値とリーチ判定値を比較してリーチか否かのリーチ判定（リーチ抽選）を行う。このリーチ判定の判定結果が肯定の場合、主制御用ＣＰＵ３０ａは、リーチ抽選でリーチに当選したことから、リーチ変動処理を実行する。リーチ変動処理において主制御用ＣＰＵ３０ａは、図柄番号「０」の特別図柄を第１特別図柄表示装置１２に表示させる特別図柄１として決定する。また、主制御用ＣＰＵ３０ａは、はずれリーチ変動用の変動パターンを選択し、決定する。その後、主制御用ＣＰＵ３０ａは、特別図柄開始処理を終了する。
【００６６】
また、リーチ判定の判定結果が否定の場合、主制御用ＣＰＵ３０ａは、はずれ変動となる図柄変動ゲームを実行させるためのはずれ変動処理を実行する。はずれ変動処理において主制御用ＣＰＵ３０ａは、図柄番号「０」の特別図柄を第２特別図柄表示装置１３に表示させる特別図柄２として決定する。また、主制御用ＣＰＵ３０ａは、はずれ変動用の変動パターンを選択し、決定する。その後、主制御用ＣＰＵ３０ａは、特別図柄開始処理を終了する。
【００６７】
そして、特別図柄及び変動パターンを決定した主制御用ＣＰＵ３０ａは、決定事項にしたがって生成した制御コマンドを所定のタイミングで演出制御基板３１（演出制御用ＣＰＵ３１ａ）に出力する。具体的に言えば、主制御用ＣＰＵ３０ａは、変動パターンを指示するとともに図柄変動ゲームの開始を指示する変動パターン指定コマンドを図柄変動ゲームの開始に際して最初に出力する。ちなみに、変動パターン指定コマンドは、特別図柄１用の変動パターン指定コマンドと、特別図柄２用の変動パターン指定コマンドに分類されている。また、主制御用ＣＰＵ３０ａは、特別図柄を指示する特別図柄用の停止図柄指定コマンドを変動パターン指定コマンドの出力後、次に出力する。なお、特別図柄用の停止図柄指定コマンドも、特別図柄１用の停止図柄指定コマンドと、特別図柄２用の停止図柄指定コマンドに分類されている。そして、主制御用ＣＰＵ３０ａは、指示した変動パターンに定められている変動時間の経過時に図柄変動ゲームの終了（図柄の確定停止）を指示する全停止コマンドを前記変動時間の経過に伴って出力する。ちなみに、全停止コマンドは、特別図柄１用の全停止コマンドと、特別図柄２用の全停止コマンドに分類されている。また、主制御用ＣＰＵ３０ａは、第１図柄変動ゲームの開始に伴って第１特別図柄表示装置１２の表示内容を制御する一方で、第２図柄変動ゲームの開始に伴って第２特別図柄表示装置１３の表示内容を制御する。すなわち、主制御用ＣＰＵ３０ａは、図柄変動ゲームの開始により特別図柄の変動を開始させ、決定した変動パターンに定められている変動時間の経過時に決定した特別図柄（大当り図柄又ははずれ図柄）を確定停止表示させる。
【００６８】
以下、第１，第２特別図柄表示装置１２，１３に特別図柄を表示させるために主制御用ＣＰＵ３０ａが実行する制御内容について図４，図５に従って説明する。
前述したように本実施形態では、第１，第２特別図柄発光部１２ａ〜１２ｇ，１３ａ〜１３ｇに対して、各発光部を区別する管理番号を同一に定め、内部的に同一の管理番号を付すことで、点灯させる特別図柄発光部を内部的に同一として管理している。さらに、本実施形態では、図柄番号と点灯パターンを１対１の関係で対応付けている。したがって、主制御用ＣＰＵ３０ａは、第１，第２特別図柄表示装置１２，１３に確定停止表示させる特別図柄を決定するに際し、まず、特別図柄変動処理フラグの設定値に従って、第１図柄変動ゲーム又は第２図柄変動ゲームを実行させるのかを判定する。どちらの図柄変動ゲームを実行するのかを判定した主制御用ＣＰＵ３０ａは、取得した特図振分用乱数で特定される図柄番号の特別図柄を決定する。前述したように、各図柄番号には、特別図柄の種類と点灯パターンが対応付けられているので、図柄番号から点灯させる特別図柄発光部を特定することができる。
【００６９】
例えば、第１始動保留球に基づいて第１図柄変動ゲームが開始される場合に、特図振分用乱数の値に基づいて図柄番号「２４」の特別図柄が決定されたとする。この場合、図４（ｃ）に示すように、図柄番号「２４」には「ａ」、「ｂ」、「ｅ」〜「ｇ」で構成される点灯パターンが対応付けられているため、主制御用ＣＰＵ３０ａは、変動パターンに定められた変動時間の経過時に、第１特別図柄発光部１２ａ，１２ｂ，１２ｅ〜１２ｇに点灯を指示する。そして、点灯指示を受けた第１特別図柄発光部１２ａ，１２ｂ，１２ｅ〜１２ｇが点灯することによって、特別図柄１の変動が確定停止表示され、第１図柄変動ゲームが終了する。このとき、第１特別図柄表示装置１２で表示される図柄形状は、第１特別図柄発光部１２ａ，１２ｂ，１２ｅ〜１２ｇが点灯する一方で、第１特別図柄発光部１２ｃ，１２ｄが点灯しないことで、アルファベットの「Ｐ」を模した形状を成すことになる。また、第１図柄変動ゲームで図柄番号「２４」の特別図柄が選択された場合、その図柄形状からゲーム終了時に特別確変大当りが付与されることが報知されることになる。
【００７０】
同様に、第２始動保留球に基づいて第２図柄変動ゲームが開始される場合に、特図振分用乱数の値に基づいて図柄番号「２４」の特別図柄が決定されたとする。この場合、図５（ｂ）に示すように、図柄番号「２４」には「ａ」、「ｂ」、「ｅ」〜「ｇ」で構成される点灯パターンが対応付けられているため、主制御用ＣＰＵ３０ａは、変動パターンに定められた変動時間の経過時に、特別図柄発光部１３ａ，１３ｂ，１３ｅ〜１３ｇに点灯を指示する。そして、点灯指示を受けた特別図柄発光部１３ａ，１３ｂ，１３ｅ〜１３ｇが点灯することによって、特別図柄２の変動が確定停止表示され、第２図柄変動ゲームが終了する。このとき、第２特別図柄表示装置１３で表示される図柄形状は、第２特別図柄発光部１３ａ，１３ｂ，１３ｅ〜１３ｇが点灯する一方で、第２特別図柄発光部１３ｃ，１３ｄが点灯しないことで、アラビア数字の「５」を模した形状を成すことになる。また、第２図柄変動ゲームで図柄番号「２４」の特別図柄が選択された場合、その図柄形状からゲーム終了時に通常確変大当りが付与されることが報知されることになる。さらに、第１図柄変動ゲーム及び第２図柄変動ゲームにおいて同一の図柄番号「２４」の特別図柄が選択された場合であっても、第１，第２特別図柄表示装置１２，１３を構成する特別図柄発光部の位置を異ならせたことにより、実際に第１，第２特別図柄表示装置１２，１３に表示される特別図柄の形状が異なることになる。これにより、その形状から大当りの種類を分かり難くすることができる。
【００７１】
次に、大当り遊技終了後の遊技状態に関して主制御用ＣＰＵ３０ａが実行する制御を説明する。
主制御用ＣＰＵ３０ａは、通常確変大当り又は特別確変大当りを決定した場合、大当り遊技の終了後、主制御用ＲＡＭ３０ｃに記憶される確変フラグに「１」を設定する。確変フラグは、その値として「１」が設定されている場合、現在の遊技状態が確変状態であることを示す一方で、「０」が設定されている場合、現在の遊技状態が非確変状態であることを示す。一方、主制御用ＣＰＵ３０ａは、非確変大当りを決定した場合、大当り遊技の終了後、確変フラグに「０」を設定する。そして、主制御用ＣＰＵ３０ａは、確変フラグに「１」を設定した場合、演出制御基板３１（演出制御用ＣＰＵ３１ａ）に確変状態であることを示す確変コマンドを出力する一方で、確変フラグに「０」を設定した場合、非確変状態であることを示す非確変コマンドを出力する。
【００７２】
また、主制御用ＣＰＵ３０ａは、通常確変大当りを決定した場合、大当り遊技の終了後、主制御用ＲＡＭ３０ｃに記憶される作動フラグに「１」を設定する。作動フラグは、その値として「１」が設定されている場合、現在の遊技状態が変短状態であることを示す一方で、「０」が設定されている場合、現在の遊技状態が非変短状態であることを示す。主制御用ＣＰＵ３０ａは、作動フラグに「１」を設定すると、変短状態であることを示す作動コマンドを演出制御基板３１（演出制御用ＣＰＵ３１ａ）に出力する。また、主制御用ＣＰＵ３０ａは、特別確変大当り又は非確変大当りを決定した場合、大当り遊技の終了後、主制御用ＲＡＭ３０ｃに記憶される作動フラグに「１」を設定するとともに、変短状態が付与される残りの図柄変動ゲームの回数を示す作動回数として所定回数（本実施形態では１００回）を主制御用ＲＡＭ３０ｃに設定する。なお、主制御用ＣＰＵ３０ａは、特別確変大当り又は非確変大当りを決定した場合、大当り遊技の終了後、作動フラグに「１」を設定した後、図柄変動ゲームの実行（変動パターン指定コマンドの出力）毎に、主制御用ＲＡＭ３０ｃに記憶されている作動回数を−１（１減算）する。主制御用ＣＰＵ３０ａは、作動回数が「０」に到達すると、図柄変動ゲームの終了後、作動フラグに「０」を設定するとともに、演出制御基板３１（演出制御用ＣＰＵ３１ａ）に、非変短状態であることを示す非作動コマンドを出力する。
【００７３】
次に、演出制御基板３１の演出制御用ＣＰＵ３１ａが制御プログラムに基づき実行する各種処理について説明する。
演出制御用ＣＰＵ３１ａは、変動パターン指定コマンドを入力すると、当該コマンドに指示される変動パターンに対応する演出内容（変動内容）をもとに、画像表示用データを選択する。また、演出制御用ＣＰＵ３１ａは、特別図柄用の停止図柄指定コマンドを入力すると、当該コマンドにしたがって演出表示装置１１に確定停止表示させる飾り図柄を決定する。具体的に言えば、特別図柄として大当り図柄が指示されている場合、演出制御用ＣＰＵ３１ａは、特別図柄毎に大当りの図柄組み合わせを決定する。例えば、特別図柄１又は特別図柄２用の停止図柄指定コマンドによって通常確変大当りに対応する特別図柄が指示されている場合、演出制御用ＣＰＵ３１ａは、通常確変大当りを確定的に認識し得る大当りの図柄組み合わせを決定する（本実施形態では、［１１１］、［３３３］、［５５５］、［７７７］）。一方、特別図柄１又は特別図柄２用の停止図柄指定コマンドによって特別確変大当りに対応する特別図柄又は非確変大当りに対応する特別図柄が指示されている場合、演出制御用ＣＰＵ３１ａは、確変大当りを確定的に認識し得ない大当りの図柄組み合わせ（本実施形態では、［２２２］、［４４４］、［６６６］）を決定する。
【００７４】
その一方で、演出制御用ＣＰＵ３１ａは、特別図柄としてはずれ図柄が指示されている場合、飾り図柄としてはずれの図柄組み合わせを決定する。このとき、演出制御用ＣＰＵ３１ａは、はずれリーチ変動用の変動パターンが指示されている場合、飾り図柄として、リーチ図柄を含むはずれの図柄組み合わせを決定する。その一方、演出制御用ＣＰＵ３１ａは、はずれ変動用の変動パターンが指示されている場合、飾り図柄として、リーチ図柄を含まないはずれの図柄組み合わせを決定する。
【００７５】
そして、演出制御用ＣＰＵ３１ａは、画像表示用データをもとに図柄変動ゲームを画像表示させるように演出表示装置１１の表示内容を制御する。また、図柄変動ゲーム中に全停止コマンド（特別図柄１又は特別図柄２用の全停止コマンド）を入力すると、演出制御用ＣＰＵ３１ａは、決定した飾り図柄を演出表示装置１１に確定停止表示させて図柄変動ゲームを終了させる。
【００７６】
したがって、本実施形態によれば、以下のような効果を得ることができる。
（１）特別図柄発光部の配置によって形成される第１，第２特別図柄表示装置１２，１３の形状を同一とする一方で、管理番号が定められた少なくとも１つの特別図柄発光部の位置を異ならせた（本実施形態では、第１，第２特別図柄発光部１２ａ〜１２ｆ，１３ａ〜１３ｆ）。さらに、第１，第２特別図柄表示装置１２，１３を形成する各特別図柄発光部を区別する管理番号を同一に定め、かつ、制御図柄（内部的に管理される特別図柄の種類）に対応付けて管理番号を定めた。これにより、第１図柄変動ゲーム及び第２図柄変動ゲームにおいて同一の制御図柄が決定された場合に、第１，第２特別図柄表示装置１２，１３で表示される表示図柄（見かけ上の特別図柄）を形成する特別図柄発光部のうち点灯する特別図柄発光部の発光個所が異なり得る。これにより、同一の制御情報が決定された場合、第１特別図柄表示装置１２で表示される表示図柄と同一の形状が第２特別図柄表示装置１３で表示されることがないので、第１，第２特別図柄表示装置１２，１３の表示態様から大当りの種類を判別し難くなり、興趣の向上を図ることができる。
【００７７】
（２）７セグメント型の第１，第２特別図柄表示装置１２，１３を構成する第１，第２特別図柄発光部１２ａ〜１２ｇ，１３ａ〜１３ｇの配置を一部でも異ならせるだけで第１，第２特別図柄表示装置１２，１３全体の形状を異ならせることができる。つまり、全ての特別図柄発光部の配置を異ならせなくても最低限の配置換えで異なる印象を与えることができる。
【００７８】
（３）第１，第２特別図柄表示装置１２，１３において、同一の管理番号を定めた一部の特別図柄発光部（実施形態では、第１，第２特別図柄発光部１２ｇ，１３ｇ）の位置を同一とした。これにより、大当り抽選に当選しなかった場合、どちらの図柄変動ゲームが行われていたとしても、必ず特定の特別図柄発光部（実施形態では、第１特別図柄発光部１２ｇ及び第２特別図柄発光部１３ｇ）が点灯することになる。これにより、大当り抽選当選時と非当選時の区別がつき易くなり、大当り抽選に当選していないことが分かったのであれば、次の図柄変動ゲームで大当りとなることに期待を持たせることができる。
【００７９】
（４）第１特別図柄表示装置１２を形成する特別図柄発光部が設置されている左サイド飾り基板ＬＫ１に第１特別図柄保留表示装置１４を実装した。その一方で、第２特別図柄表示装置１３を形成する特別図柄発光部が設置されている右サイド飾り基板ＲＫ１に第２特別図柄保留表示装置１５を実装した。これにより、１つの図柄変動ゲームに係る表示装置を全て同一基板上に実装したことになるので、第１，第２特別図柄表示装置１２，１３の製造に係る手間を省くことができる。
【００８０】
（５）第１，第２特別図柄表示装置１２，１３を、遊技盤１０の対称位置に配設したことにより（実施形態では、遊技盤１０の左右対称位置）、変動中の表示手段が第１図柄変動ゲーム又は第２図柄変動ゲームのどちらに対応しているのかを区別させ易くなる。これにより、変動中第１，第２特別図柄表示装置１２，１３を視認しただけで、どちらの図柄変動ゲームが行われているのかを区別させ易くなる。
【００８１】
（６）第１，第２特別図柄表示装置１２，１３を形成する特別図柄発光部の位置を変更することで、第１，第２特別図柄表示装置１２，１３の見かけ上の形状は同一であるが、点灯する特別図柄発光部によって形成される図柄形状が異なる。例えば、図４（ｂ）に示すように、図柄番号「１０」の特別図柄が第１特別図柄表示装置１２に表示されると、第１特別図柄発光部１２ｃ，１２ｅ，１２ｇが点灯する一方で、第１特別図柄発光部１２ａ，１２ｂ，１２ｄ，１２ｆが点灯しないことによって特別図柄１が形成される。同様に、図５（ｂ）に示すように、図柄番号「１０」の特別図柄が第２特別図柄表示装置１３に表示されると、第２特別図柄発光部１３ｃ，１３ｅ，１３ｇが点灯する一方で、第２特別図柄発光部１３ａ，１３ｂ，１３ｄ，１３ｆが点灯しないことによって、特別図柄１とは異なる形状の特別図柄２が形成される。このように、本実施形態では、５１種類の特別図柄を設定しているが、７セグメント型の第１，第２特別図柄表示装置１２，１３を形成する第１，第２特別図柄発光部１２ａ〜１２ｆ，１３ａ〜１３ｆの配置を異ならせることで、恰も特別図柄が５１種類以上設定されており、かつ特別図柄表示装置毎に特別図柄が設定されているかのように見せることができる。つまり、少ないデータ量で特別図柄の種類が多く設定されているかのように見せることができる。
【００８２】
（７）第１，第２特別図柄発光部１２ａ〜１２ｆ，１３ａ〜１３ｆの位置が異なっているが、７セグメント型を形成し得るように配置されているので、点灯が指示される特別図柄発光部が異なったとしても、点灯する特別図柄発光部によって形成される図柄形状が同一となる場合がある。例えば、図４（ｃ）に示すように、図柄番号「２４」の特別図柄が第１特別図柄表示装置１２に表示されると、第１特別図柄発光部１２ａ，１２ｂ，１２ｅ〜１２ｇが点灯する一方で、第１特別図柄発光部１２ｃ，１２ｄが点灯しないことによって、アルファベットの「Ｐ」を模した特別図柄１が形成される。同様に、図５（ｄ）に示すように、図柄番号「４０」の特別図柄が第２特別図柄表示装置１３に表示されると、第２特別図柄発光部１３ｂ〜１３ｅ，１３ｇが点灯する一方で、第２特別図柄発光部１３ａ，１３ｆが点灯しないことによって、アルファベットの「Ｐ」を模した特別図柄２が形成される。この場合、特別図柄１と特別図柄２が同一の形状となる。ところが、これらの特別図柄はそれぞれ図柄番号が異なるため、内部的には別の特別図柄となる。これにより、異なる大当りの種類が同一形状の特別図柄によって報知されることになるため、大当りの種類を遊技者に分かり難くすることができる。したがって、遊技者にとって不利な大当りに当選している場合であっても、遊技者にとって有利な大当りに当選していることに期待を持たせることができる。
【００８３】
（８）また、遊技者が特別図柄１の形状と大当りの種類の対応関係を把握したとしても、特別図柄２として特別図柄１と同一形状の特別図柄が表示されるとは限らず、また、同一形状の特別図柄２が表示されたとしても、特別図柄１とは異なる大当りを指示している場合がある。これにより、一方の特別図柄表示装置に表示された特別図柄の種類から他方の特別図柄表示装置に表示された特別図柄の種類を推測し難くなり、遊技状態を分かり難くすることができる。
【００８４】
なお、上記実施形態は以下のように変更しても良い。
・  実施形態では、第１，第２特別図柄発光部１２ａ〜１２ｇ，１３ａ〜１３ｇの配置をどのような配置としても構わない。例えば、図６（ａ），（ｂ）に示すような７セグメント型の表示装置とは異なる配置としても良い。具体的に説明すると、第１，第２特別図柄表示装置１２，１３全体の形状を同一とする一方で、第１，第２特別図柄発光部１２ａ〜１２ｇ，１３ａ〜１３ｇの配置を第１，第２特別図柄表示装置１２，１３で異ならせる。図６（ａ）では、第１特別図柄発光部１２ａ〜１２ｇは、遊技者から見て上下方向に複数列（本実施形態では２段）をなして配置されており、上段では、遊技者から見て左側から順に、第１特別図柄発光部１２ａ、第１特別図柄発光部１２ｂ、及び第１特別図柄発光部１２ｃが等間隔で横一列に配置されている。一方、下段では、遊技者から見て左側から順に、第１特別図柄発光部１２ｄ、第１特別図柄発光部１２ｅ、第１特別図柄発光部１２ｆ、及び第１特別図柄発光部１２ｇが等間隔で横一列に配置されている。その一方で、図６（ｂ）では、第２特別図柄発光部１３ａ〜１３ｇは、遊技者から見て上下方向に複数列（本実施形態では２段）をなして配置されており、上段では、遊技者から見て左側から順に、第２特別図柄発光部１３ｇ、第２特別図柄発光部１３ｆ、及び第２特別図柄発光部１３ｅが等間隔で横一列に配置されている。一方、下段では、遊技者から見て左側から順に、第２特別図柄発光部１３ｃ、第２特別図柄発光部１３ｄ、第２特別図柄発光部１３ｂ、及び第２特別図柄発光部１３ａが等間隔で横一列に配置されている。このような配置とすることで、第１，第２特別図柄表示装置１２，１３の全体の形状は見かけ上同一であるが、第１，第２特別図柄発光部１２ａ〜１２ｇ，１３ａ〜１３ｇの配置が異なるため、点灯する発光体によって形成される特別図柄の形状も異なることになる。
【００８５】
・  実施形態では、リーチ抽選に当選しなかった場合、複数種類のはずれ判定を実行しても良い。例えば、リーチ判定用乱数の取り得る数値と重複しないはずれ判定値を設定し、該はずれ判定値と取得したリーチ判定用乱数の値が一致した際には第１はずれと判定される一方で、はずれ判定値とリーチ判定用乱数の値が一致しない際には、第２はずれと判定されるようにしても良い。そして、第１はずれと判定された際には、複数個の特別図柄発光部を点灯させて特別図柄を形成する一方で、第２はずれと判定された際には、１個の特別図柄発光部を点灯させて特別図柄を形成するようにしても良い（実施形態の図４（ａ）参照）。例えば、図７（ａ）に示すように、第１図柄変動ゲームで大当り抽選に当選したとすると、第１特別図柄発光部１２ｆ，１２ｇが点灯する。その一方で、図７（ｂ）に示すように、第１図柄変動ゲームで第１はずれと判定されたとすると、第１特別図柄発光部１２ａ，１２ｇが点灯する。このような設定とすることで、大当り抽選に当選しなかったとしても、大当り抽選に当選した際に点灯する個数と同一個数の特別図柄発光部が点灯するので、大当り抽選の抽選結果を分かり難くすることができる。また、特別図柄のはずれ図柄を、リーチありのはずれ図柄とリーチなしのはずれ図柄とに分類しても良い。そして、リーチ抽選に当選した際には、大当り抽選に当選した際に点灯する個数と同一個数の特別図柄発光部を点灯させるようにしても良いし、リーチ抽選に当選しなかったときであっても、大当り抽選に当選した際に点灯する個数と同一個数の特別図柄発光部を点灯させるようにしても良い。
【００８６】
・  実施形態は、８セグメント型の表示装置としても良い。このような場合、図４（ｃ）に示す図柄番号「２５」の特別図柄が選択されたとすると、図８（ａ）に示すように、第１特別図柄発光部１２ａ，１２ｂ，１２ｄが点灯する一方で、第１特別図柄発光部１２ｃ，１２ｅ〜１２ｇが点灯しないことによって特別図柄１が形成される。その一方で、図５（ｂ）に示す図柄番号「２５」の特別図柄が選択されたとすると、第２特別図柄発光部１３ａ，１３ｂ，１３ｄが点灯する一方で、第２特別図柄発光部１３ｃ，１３ｅ〜１３ｇが点灯しないことによって、特別図柄１とは異なる形状の特別図柄２が形成される。この場合、同一の図柄番号が選択されたが、特別図柄１，２の形状が異なることになるので、８セグメント型の表示装置に変更した場合でも、大当りの種類を分かり難くすることができる。
【００８７】
・  実施形態において、第１，第２特別図柄表示装置１２，１３において点灯している発光体によって形成される図柄形状を特別図柄（表示図柄）として定義しても良い。
・  実施形態における当りの種類を変更しても良い。また、当りの種類として、これらの当りの種類に加えて、ラウンド遊技時間を短く設定した（例えば、０．６秒）短縮確変大当りや小当りを設定しても良い。そして、複数種類のはずれ判定を実行する際には、第１はずれと判定された場合と小当り当選時に点灯する特別図柄発光部の個数を同一としても良い。なお、小当りとは、１回の当り遊技中に短縮確変大当りにおける大入賞口２１の開放回数と同一回数及び同一時間だけ大入賞口２１を開閉動作させる当りである。また、小当り当選時は、小当り当選時の遊技状態が継続される。この場合、演出表示装置１１に確定停止表示される図柄組み合わせも、短縮確変大当りと同一に設定することが好ましい。
【００８８】
・  実施形態において、第１，第２特別図柄表示装置１２，１３の設置位置を変更しても良い。例えば、第１特別図柄表示装置１２を遊技盤１０の上方に設置する一方で、第２特別図柄表示装置１３を遊技盤１０の右方に設置しても良い。すなわち、第１，第２特別図柄表示装置１２，１３が並設されていなければどのような配置であっても構わない。
【００８９】
・  実施形態では、第２図柄変動ゲームが第１図柄変動ゲームに優先して実行されていたが、第１図柄変動ゲームと第２図柄変動ゲームが同時に実行されても良い。また、始動入賞口１７，１８への入賞順としても良いし、第１図柄変動ゲームと第２図柄変動ゲームを交互に実行させるようにしても良い。
【００９０】
・  上記実施形態において、第１，第２特別図柄表示装置１２，１３を構成する発光体は、レンズカバーで覆って構成した発光体ではなく、ドットマトリクスや液晶ディスプレイ型、遊技ＥＬ型、プラズマディスプレイ型などとしても良い。
【００９１】
・  上記実施形態において、演出表示装置１１は液晶ディスプレイ型としたが、ドットマトリクス型、有機ＥＬ型、プラズマディスプレイ型などとしても良く、これらを組み合わせた表示装置を用いても良い。
【００９２】
次に、上記実施形態及び別例（変形例）から把握できる技術的思想について以下に追記する。
（イ）前記当り抽選に当選しなかった場合、第１はずれとするか又は第２はずれとするかのはずれ抽選を実行する判定手段と、前記第１図柄表示手段及び前記第２図柄表示手段に前記当り抽選又は前記はずれ抽選の抽選結果に対応する表示図柄を表示させる表示指示手段と、を備え、前記当り抽選に当選した場合に点灯させる発光体数の組み合わせは複数に定められており、前記表示指示手段は、前記判定手段によって前記第１はずれが判定された場合、前記当り抽選に当選した場合に点灯させる発光体数の組み合わせのうちいずれかの発光体数と同一個数の発光体を点灯させる一方で、前記判定手段によって前記第２はずれが判定された場合、前記当り抽選に当選した場合に点灯する発光体数の組み合わせとは異なる数の発光体を点灯させることを特徴とする請求項１〜請求項４のうちいずれか一項に記載の遊技機。この場合、主制御用ＣＰＵ３０ａが、判定手段及び表示指示手段として機能する。また、このような構成とすることで、当り抽選で当りに当選しなかった場合であっても、第１はずれが判定されたのであれば、当り抽選に当選した場合に点灯させる発光体と同一個数の発光体が点灯する。これにより、実際は当り抽選に当選していない場合であっても、その点灯態様からはずれを認識させ難くすることができる。
【符号の説明】
【００９３】
１１…演出表示装置、１２…第１特別図柄表示装置（第１図柄表示手段）、１２ａ〜１２ｇ…第１特別図柄発光部、１３…第２特別図柄表示装置（第２図柄表示手段）、１３ａ〜１３ｇ…第２特別図柄発光部、３０…主制御手段、３０ａ…主制御用ＣＰＵ（表示指示手段）、３０ｂ…主制御用ＲＯＭ、３０ｃ…主制御用ＲＡＭ、３１…演出制御基板、３１ａ…演出制御用ＣＰＵ。
【図１】
0005688302.tif 000002
【図２】
0005688302.tif 000003
【図３】
0005688302.tif 000004
【図４】
0005688302.tif 000005
【図５】
0005688302.tif 000006
【図６】
0005688302.tif 000007
【図７】
0005688302.tif 000008
【図８】
0005688302.tif 000009